(57)【要約】【課題】顧客に対して完成予想の図柄を複数提示する比較検討シミュレーションを即座に実施することができる図柄見本作成装置、図柄見本作成方法、図柄見本作成プログラムおよび記録媒体を提供する。【解決手段】図柄見本作成装置１００は、複数の図柄３１０とこれら複数の図柄の其々についてこの図柄から分解されて１つの図柄を構成する複数の色版とこれら複数の色版の其々について選択可能な複数の色見本を備えた色見本一覧を記憶する記憶手段１１１と、これら複数の図柄とこれら複数の色版とこれら複数の色見本を其々選択可能に表示する表示手段１１２と、これら複数の図柄から１つの図柄を選択する操作およびこの１つの図柄を構成するこれら複数の色版の其々に対してこの色見本を選択する操作を受け付ける操作手段１１３と、この色見本が選択されたこれら複数の色版から１つの図柄を合成してこの表示手段に表示させる色版合成手段１１４と、を備えている。【選択図】図１
2020183981.tif 000002
【特許請求の範囲】
【請求項１】
複数の図柄と、該複数の図柄のそれぞれについて該図柄から分解されて１つの図柄を構成する複数の色版と、該複数の色版のそれぞれについて選択可能な複数の色見本を備えた色見本一覧、を記憶する記憶手段と、
前記複数の図柄と前記複数の色版と前記複数の色見本をそれぞれ選択可能に表示する表示手段と、
前記複数の図柄から１つの図柄を選択する操作、および、前記１つの図柄を構成する前記複数の色版のそれぞれに対して前記色見本を選択する操作を受け付ける操作手段と、
前記色見本が選択された前記複数の色版から１つの図柄を合成して前記表示手段に表示させる色版合成手段と、
を備えていることを特徴とする図柄見本作成装置。
【請求項２】
前記記憶手段が、前記複数の色版のそれぞれについて選択された前記色見本および合成された前記図柄を少なくとも一時的に記憶し、
選択された前記色見本および合成された前記図柄を電子データとして外部に送信する通信手段をさらに備えていることを特徴とする請求項１に記載の図柄見本作成装置。
【請求項３】
表示された複数の図柄から１つの図柄を選択する操作を受け付けるステップと、
選択された前記１つの図柄を構成する複数の色版を表示するステップと、
前記複数の色版のそれぞれについて色見本一覧の中から１つの色見本を選択する操作を受け付けるステップと、
前記１つの色見本が選択された前記複数の色版から１つの前記図柄を合成して表示させるステップと、
を備えていることを特徴とする図柄見本作成方法。
【請求項４】
請求項３に記載された図柄見本作成方法を実行する手段としてコンピュータを機能させる図柄見本作成プログラム。
【請求項５】
請求項４に記載された図柄見本作成プログラムを格納していることを特徴とするコンピュータが読み取り可能な記録媒体。
【発明の詳細な説明】
【技術分野】
【０００１】
本発明は、図柄見本作成装置、図柄見本作成方法、図柄見本作成プログラムおよび記録媒体に関するものであって、特に、色見本が指定された複数の色版を重ね合わせて１つの図柄に合成して表示させる図柄見本作成装置、図柄見本作成方法、図柄見本作成プログラムおよび記録媒体に関するものである。
【背景技術】
【０００２】
飲食店、販売、ホテル等の接客業、学校、警備、病院、介護サービスなど様々な現場で、統一的なデザインを施したユニフォームが着用されている。なかでも、こうしたユニフォームの一部として身に着けられるネクタイ、リボン、スカーフなどのネックウェアは、機能性と共に、その着用位置から人目につきやすく、誠実さ、清潔感、親しみやすさ、信頼感といったポジティブな印象を周囲に与えることが重要となる。
そのため、このようなネックウェア等のユニフォームに必ずしも限られるものではないが、その製作過程では、こうしたポジティブな印象を求めて、顧客である発注者と受注者との間で検討が繰り返され、デザイン変更が幾度も行われる。
【０００３】
そのような事情から、受注者が、シミュレーションにより完成イメージを発注者に複数回提示し、発注者の最終的な了解を得てから製造部門に製造を指示することが望ましい。
また、ユニフォームというものの性質上、一定のデザインから派生して色等のみを変更したバリエーションにより、一定の個数の注文を受けるケースが多い。
そのため、毎回、個別の顧客に対応したデザインを新たに考案して使用するというよりも、既定のデザインから方向性を絞り込んで個別にカスタマイズしていくテンプレート的な手法がよく用いられる。
【０００４】
特許文献１には、限りなく実物カーペットに近い印象を与えるプリントアウトされた図柄見本を作成するカーペット図柄見本作成法が開示されている。
また、特許文献２には、異なる織物を表現したマス見本を印刷する表面柄パターン作成装置が開示されている。
【先行技術文献】
【特許文献】
【０００５】
【特許文献１】特開２００３−２２０２０号公報
【特許文献２】特開平１１−２１６２８０号公報
【発明の概要】
【発明が解決しようとする課題】
【０００６】
しかしながら、上述したような従来の図柄見本（表面柄パターン）作成法（作成装置）は、実際の完成品に近い見本を印刷により作成することで、作成時間を短縮し、効率的に新たな図柄の選定を行うとされるものであるが、商談の場で、特定の図柄について該図柄を構成する色版ごとに色見本を変更して顧客に提示し、即座に指示を仰ぐことができないという問題があった。
【０００７】
本発明は、このような実情に鑑みてなされたものであり、顧客に対して完成予想の図柄を複数提示する比較検討シミュレーションを即座に実施することができる図柄見本作成装置、図柄見本作成方法、図柄見本作成プログラムおよび記録媒体を提供することをその目的とする。
【課題を解決するための手段】
【０００８】
上記課題を解決するために、請求項１に係る発明は、複数の図柄と、該複数の図柄のそれぞれについて該図柄から分解されて１つの図柄を構成する複数の色版と、該複数の色版のそれぞれについて選択可能な複数の色見本を備えた色見本一覧、を記憶する記憶手段と、前記複数の図柄と前記複数の色版と前記複数の色見本をそれぞれ選択可能に表示する表示手段と、前記複数の図柄から１つの図柄を選択する操作、および、前記１つの図柄を構成する前記複数の色版のそれぞれに対して前記色見本を選択する操作を受け付ける操作手段と、前記色見本が選択された前記複数の色版から１つの図柄を合成して前記表示手段に表示させる色版合成手段と、を備えていることを特徴とするものである。
【０００９】
請求項２に係る発明は、請求項１に係る発明において、前記記憶手段が、前記複数の色版のそれぞれについて選択された前記色見本および合成された前記図柄を少なくとも一時的に記憶し、選択された前記色見本および合成された前記図柄を電子データとして外部に送信する通信手段をさらに備えていることを特徴とするものである。
【００１０】
請求項３に係る発明は、表示された複数の図柄から１つの図柄を選択する操作を受け付けるステップと、選択された前記１つの図柄を構成する複数の色版を表示するステップと、前記複数の色版のそれぞれについて色見本一覧の中から１つの色見本を選択する操作を受け付けるステップと、前記１つの色見本が選択された前記複数の色版から１つの前記図柄を合成して表示させるステップと、を備えていることを特徴とするものである。
【００１１】
請求項４に係る発明は、請求項３に係る発明である図柄見本作成方法を実行する手段としてコンピュータを機能させることを特徴とするものである。
【００１２】
請求項５に係る発明は、請求項４に係る発明である図柄見本作成プログラムを格納していることを特徴とするものである。
【発明の効果】
【００１３】
本発明の図柄見本作成装置は、色見本が選択された複数の色版から１つの図柄を合成して表示手段に表示させる色版合成手段を備えていることにより、顧客に対して完成予想の図柄を複数提示する比較検討シミュレーションの実施が可能となる。また、商談時の顧客からの受注における齟齬などの人的ミスをなくすことができる。
【００１４】
また、請求項２に係る発明の図柄見本作成装置によれば、請求項１に記載の図柄見本作成装置が奏する効果に加えて、記憶手段に少なくとも一時的に記憶された複数の色版のそれぞれについて選択された色見本および合成された図柄を電子データとして外部に送信する通信手段を備えていることにより、受注から発注までの流れを合理化するため、営業部門から製造部門への発注における齟齬などの人的ミスをなくし、受注から発注までの事務作業を省力化すると共にリードタイムの大幅な短縮を図ることができる。
【００１５】
請求項３に係る発明の図柄見本作成方法によれば、請求項１に係る発明と同様の効果を奏することができる。
【００１６】
請求項４に係る発明の図柄見本作成プログラムによれば、請求項３に係る発明と同様の、すなわち請求項１に係る発明と同様の効果を奏することができる。
【００１７】
請求項５に係る発明の記録媒体によれば、請求項４に係る発明と同様の、すなわち請求項１に係る発明と同様の効果を奏することができる。
【図面の簡単な説明】
【００１８】
【図１】本発明の一実施形態に係る図柄見本作成装置の構成を示すブロック図である。
【図２】本発明の一実施形態に係る図柄見本作成装置におけるカラーシミュレーションの開始から結果を保存するまでの各動作のフローチャートである。
【図３】本発明の一実施形態に係る図柄見本作成装置における保存したカラーシミュレーションの結果を変更および／または送信する際の各動作のフローチャートである。
【図４】本発明の一実施形態に係る図柄見本作成装置における保存したカラーシミュレーションの結果を外部に送信して終了に至るまでの各動作のフローチャートである。
【図５】本発明の一実施形態に係る図柄見本作成装置における色見本の選択からシミュレーション画面を表示するまでの各動作のフローチャートである。
【図６】本発明の一実施形態に係る図柄見本作成装置の図柄グループ選択画面を示す図である。
【図７】本発明の一実施形態に係る図柄見本作成装置の図柄選択画面を示す図である。
【図８】本発明の一実施形態に係る図柄見本作成装置のシミュレーション一覧画面を示す図である。
【図９】本発明の一実施形態に係る図柄見本作成装置のシミュレーション画面の一例を示す図である。
【図１０Ａ】本発明の一実施形態に係る図柄見本作成装置のカラー選択画面の一例を示す図である。
【図１０Ｂ】本発明の一実施形態に係る図柄見本作成装置のカラー選択画面の他の一例を示す図である。
【図１１】本発明の一実施形態に係る図柄見本作成装置の保存名入力画面を示す図である。
【図１２】本発明の一実施形態に係る図柄見本作成装置のシミュレーション一覧画面の他の一例を示す図である。
【図１３】本発明の一実施形態に係る図柄見本作成装置のシミュレーション画面の他の一例を示す図である。
【図１４】本発明の一実施形態に係る図柄見本作成装置の電子メールアプリケーション画面を示す図である。
【発明を実施するための形態】
【００１９】
以下、図面を参照しながら、本発明の図柄見本作成装置に係る好適な実施形態について説明する。
なお、以下の説明において、異なる図面においても同じ符号を付した構成は同様のものであるとして、その説明を省略する場合がある。
【００２０】
＜１．図柄見本作成装置の概要＞
まず、図１を用いて、本発明の一実施形態である図柄見本作成装置１００について説明する。
図１は、本発明の一実施形態に係る図柄見本作成装置の構成を示すブロック図である。
【００２１】
図１に示すように、図柄見本作成装置１００は、記憶手段１１１と、表示手段１１２と、操作手段１１３と、色版合成手段１１４と、通信手段１１５と、これらの手段を制御する制御手段１１０とを備えている。
ここで、「図柄」とは、衣料品などの繊維製品に表された図案や模様の柄を指す。「色版」とは、ある図柄を色別に分解した各パーツを指す。すなわち、各色版は単色で構成され、色版ごとに色が異なる。また、各色版は、描画部分に重なりがなく、色が掛け合わさることはない。
【００２２】
図柄見本作成装置１００としては、任意のアプリケーションをインストールすることができるＰＣやタブレット端末、スマートフォンなどの汎用の情報処理端末が用いられるが、特定用途に特化した専用端末として構成されてもよい。
制御手段１１０は、ＣＰＵ（ＭＰＵ）により構成され、次に説明する記憶手段１１１、表示手段１１２、操作手段１１３、色版合成手段１１４、通信手段１１５を制御する。
【００２３】
記憶手段１１１としては、ＲＡＭ、ＲＯＭ、フラッシュメモリ、ＳＳＤを含む半導体メモリ、ＨＤＤなどが用いられ、複数の図柄と、この複数の図柄のそれぞれについてこの図柄から分解されて１つの図柄を構成する複数の色版と、この複数の色版のそれぞれについて選択可能な複数の色見本を備えた色見本一覧を記憶する。
表示手段１１２としては、ＬＥＤディスプレイ、有機ＥＬディスプレイ、ＣＲＴなどが用いられ、複数の図柄と、複数の色版と、複数の色見本をそれぞれ選択可能に表示する。
操作手段１１３としては、キーボード、マウス、トラックボール、タッチパッドなどの他、表示手段１１２と一体になったタッチパネルが用いられ、複数の図柄から１つの図柄を選択する操作、および、この１つの図柄を構成する複数の色版のそれぞれに対して色見本を選択する操作を受け付ける。
【００２４】
色版合成手段１１４は、制御手段１１０によって実行されるプログラムの一機能として実装され、色見本が指定された複数の色版から１つの図柄を合成して表示手段１１２に表示させる。
通信手段１１５としては、ＬＴＥ等の携帯電話回線の他、Ｗｉ−Ｆｉ（登録商標）、Ｂｌｕｅｔｏｏｔｈ（登録商標）、ＺｉｇＢｅｅ（登録商標）などの無線通信モジュールまたは有線ＬＡＮなどの有線通信モジュールが用いられ、指定された色見本および合成された図柄を電子データとして図柄見本作成装置１００の外部に送信する。
【００２５】
＜２．カラーシミュレーションの実施＞
次に、図６乃至図９を参照しつつ図２に従って、本発明の一実施形態に係る図柄見本作成装置１００におけるカラーシミュレーションの開始からシミュレーション画面５００の表示までの各動作について説明する。
図２は、本発明の一実施形態に係る図柄見本作成装置におけるカラーシミュレーションの開始から結果を保存するまでの各動作のフローチャートである。図６は、本発明の一実施形態に係る図柄見本作成装置の図柄グループ選択画面を示す図である。図７は、本発明の一実施形態に係る図柄見本作成装置の図柄選択画面を示す図である。図８は、本発明の一実施形態に係る図柄見本作成装置のシミュレーション一覧画面を示す図である。図９は、本発明の一実施形態に係る図柄見本作成装置のシミュレーション画面の一例を示す図である。
【００２６】
本実施形態では、図柄見本作成装置１００は、タブレット端末として構成されている。また、表示手段１１２としてＬＥＤディスプレイまたは有機ＥＬディスプレイが、操作手段１１３として表示手段１１２と一体になったタッチパネルが用いられている。
操作者である受注者は、指やタッチペン（スタイラスペン）等で、表示手段１１２と操作手段１１３とを兼ねた上記タッチパネルをタッチ操作することができる。
【００２７】
図６に示すように、図柄見本作成装置１００で、図柄見本作成のために記憶手段１１１に記憶されたインストール済みの所定のアプリケーション（以降、「マッチングシミュレーター」と云う。）を開始すると、先ず、表示手段１１２に図柄グループ選択画面２００が表示される（ステップＳ１０１）。
【００２８】
図柄グループ選択画面２００には、同種のグループごとに分類された各図柄（図柄グループ）のアイコンである、「プッチ」、「幾何」、「ストライプ」、「チェック」、「ドット」、および、それら以外の「その他」からなる一般用図柄フォルダ２１０が表示されている。
また、図柄グループ選択画面２００には、個別の顧客ごとにデザインされた専用の図柄を格納するＩ〜ＩＸからなる個別顧客専用図柄フォルダ２２０も表示されている。
【００２９】
そして、図柄見本作成装置１００の制御手段１１０は、上記タッチパネルを通じて、図柄グループ選択画面２００上の一般用図柄フォルダ２１０および個別顧客専用図柄フォルダ２２０から、それらの図柄フォルダの１つを選択するタッチ操作を受け付け、上記図柄フォルダの１つを選択するタッチ操作が行われたか否かを判断する（ステップＳ１０２）。
上記図柄フォルダのいずれも選択されない場合（ステップＳ１０２においてＮＯの場合）、上記図柄フォルダの１つが選択されるまで、その状態を維持する。
【００３０】
上記図柄フォルダの１つが選択された場合（ステップＳ１０２においてＹＥＳの場合）、図柄グループ選択画面２００から遷移して、図７に示すように、表示手段１１２に図柄選択画面３００が表示される（ステップＳ１０３）。ここでは、ステップＳ１０２において、図６に示す図柄グループ選択画面２００の右上に位置する「ストライプ」の一般用図柄フォルダ２１０が選択されたものとする。
図柄選択画面３００には、ステップＳ１０２で選択した「ストライプ」に属する図柄３１０の一覧が表示されている。
【００３１】
そして、図柄見本作成装置１００の制御手段１１０は、上記タッチパネルを通じて、図柄選択画面３００上の図柄３１０の一覧から、任意の図柄３１０を選択するタッチ操作を受け付け、任意の図柄３１０を選択するタッチ操作が行われたか否かを判断する（ステップＳ１０４）。
図柄３１０のいずれも選択されない場合（ステップＳ１０４においてＮＯの場合）、図柄３１０の１つが選択されるまで、その状態を維持する。
【００３２】
図柄３１０の１つが選択された場合（ステップＳ１０４においてＹＥＳの場合）、図柄選択画面３００から遷移して、図８に示すように、表示手段１１２にシミュレーション一覧画面４００が表示される（ステップＳ１０５）。ここでは、ステップＳ１０４において、図７に示す図柄選択画面３００の右上に位置する複数の曲線から構成された「ストライプ」の図柄３１０が選択されたものとする。
【００３３】
なお、図柄選択画面３００の左上には、「＜」記号およびそれに続く前画面の表題「マッチングシミュレーター」により示される“前画面に戻る”マーク３３１が表示されている。
図２のフローチャート上では特に示さないが、操作者が、この“前画面に戻る”マーク３３１を押すタッチ操作をすると、前画面の図柄グループ選択画面２００に移動することができる。
【００３４】
また、図柄選択画面３００の右上には、「×」記号により示される“トップ画面に戻る”マーク３３２が表示されている。
同様に、図２のフローチャート上では特に示さないが、操作者が、この“トップ画面に戻る”マーク３３２を押すタッチ操作をすると、「マッチングシミュレーター」は一旦終了し、タブレットの初期画面（トップ画面）に移動することができる。
【００３５】
上述のように、ステップＳ１０４で任意の図柄３１０が選択されると、図柄選択画面３００から遷移して、図８に示すように、表示手段１１２にシミュレーション一覧画面４００が表示される（ステップＳ１０５）。
【００３６】
シミュレーション一覧画面４００の上部には、“オリジナル”ボタン４１０が表示されている。
シミュレーション一覧画面４００では“オリジナル”ボタン４１０の下にシミュレーション一覧表示領域４２０が設けられているが、この段階では、シミュレーション一覧表示領域４２０には何も表示されていない。
【００３７】
なお、シミュレーション一覧画面４００の左上には、「＜」記号およびそれに続く前画面の表題「ストライプ」により示される“前画面に戻る”マーク４３１が表示されている。
図２のフローチャート上では特に示さないが、操作者が、この“前画面に戻る”マーク４３１を押すタッチ操作をすると、前画面の図柄選択画面３００に移動することができる。
【００３８】
また、シミュレーション一覧画面４００の右上には、「×」記号により示される“トップ画面に戻る”マーク４３２が表示されている。
同様に、図２のフローチャート上では特に示さないが、操作者が、この“トップ画面に戻る”マーク４３２を押すタッチ操作をすると、「マッチングシミュレーター」は一旦終了し、タブレットの初期画面（トップ画面）に移動することができる。
【００３９】
図柄見本作成装置１００の制御手段１１０は、シミュレーション一覧画面４００上の“オリジナル”ボタン４１０を押すタッチ操作が行われたか否かを判断する（ステップＳ１０６）。
“オリジナル”ボタン４１０が押されない場合（ステップＳ１０６においてＮＯの場合）、“オリジナル”ボタン４１０が押されるまで、その状態を維持する。
【００４０】
“オリジナル”ボタン４１０が押された場合（ステップＳ１０６においてＹＥＳの場合）、シミュレーション一覧画面４００から遷移して、図９に示すように、表示手段１１２にシミュレーション画面５００が表示される（ステップＳ１０７）。
なお、図７に示す図柄選択画面３００上で図柄３１０の１つが選択された場合（ステップＳ１０４においてＹＥＳの場合）、上述のように、表示手段１１２にシミュレーション一覧画面４００が表示され（ステップＳ１０５）、制御手段１１０が、シミュレーション一覧画面４００上の“オリジナル”ボタン４１０を押すタッチ操作が行われたか否かを判断する（ステップＳ１０６）代わりに、このステップＳ１０７に移動するように構成してもよい。
【００４１】
シミュレーション画面５００の上部には、色版表示領域５１０が設けられている。この色版表示領域５１０には、左から右へと順に、色版５１１、色版５１２、色版５１３、色版５１４が表示されている。これらの色版５１１〜５１４は、ステップＳ１０４で選択したストライプの図柄３１０を色別に分解した各パーツであり、各色版は単色で構成され、色版ごとに色が異なる。
【００４２】
なお、ステップＳ１０４で選択したストライプの図柄３１０は、上述のように、４つの色版５１１〜５１４に分解され、各色版のすべてを色版表示領域５１０上に同時に表示することができる。
ここで、図９に示すように、色版５１４のさらに右に位置する枠は、内部に色版が示されず、また、その一部が、シミュレーション画面５００外となって、完全には表示されない。
そのため、ステップＳ１０４で選択した図柄３１０が、４つより多くの数の色版に分解される場合、上記の枠の内部にも色版を表示する必要が生じるが、上述のように、その一部が表示されないので、その色版全体を確認することができない。
そのような場合には、色版表示領域５１０に表示される各色版を左右にスクロール表示可能にして、すべての色版を１画面上で確認することができるように構成するとよい。
【００４３】
シミュレーション画面５００の下部には、マスター版５２０が表示されている。
マスター版５２０は、図柄見本作成装置１００の色版合成手段１１４が、色版表示領域５１０に表示されているすべての色版（ここでは、色版５１１〜５１４）から１つの図柄を合成して表示するものである。
【００４４】
なお、シミュレーション画面５００の左上には、「＜」記号およびそれに続く前画面の表題「ｓｔｒｉｐｅ０００３」により示される“前画面に戻る”マーク５３１が表示されている。
図２のフローチャート上では特に示さないが、操作者が、この“前画面に戻る”マーク５３１を押すタッチ操作をすると、前画面のシミュレーション一覧画面４００に移動することができる。
【００４５】
また、シミュレーション画面５００の右上には、「×」記号により示される“トップ画面に戻る”マーク５３２が表示されている。
同様に、図２のフローチャート上では特に示さないが、操作者が、この“トップ画面に戻る”マーク５３２を押すタッチ操作をすると、「マッチングシミュレーター」は一旦終了し、タブレットの初期画面（トップ画面）に移動することができる。
【００４６】
図柄見本作成装置１００の制御手段１１０は、シミュレーション画面５００上の色版表示領域５１０に表示された色版５１１〜５１４のいずれかを選択するタッチ操作が行われたか否かを判断する（ステップＳ１０８）。
色版５１１〜５１４のいずれも選択されない場合（ステップＳ１０８においてＮＯの場合）、次のステップＳ１０９に移動する。
【００４７】
＜２．１．カラー選択画面＞
次に、図９、図１０Ａおよび図１０Ｂを参照しつつ図５に従って、本発明の一実施形態に係る図柄見本作成装置１００における色見本の選択からシミュレーション画面５００の表示までの各動作について説明する。
図５は、本発明の一実施形態に係る図柄見本作成装置における色見本の選択からシミュレーション画面を表示するまでの各動作のフローチャートである。図１０Ａは、本発明の一実施形態に係る図柄見本作成装置のカラー選択画面の一例を示す図である。図１０Ｂは、本発明の一実施形態に係る図柄見本作成装置のカラー選択画面の他の一例を示す図である。
【００４８】
図９に示す色版５１１〜５１４のいずれかが選択された場合（図２に示すステップＳ１０８においてＹＥＳの場合）、シミュレーション画面５００から遷移して、図１０Ａおよび図１０Ｂに示すように、表示手段１１２にカラー選択画面６００が表示される（図５に示すステップＳ２０１）。
図１０Ａおよび図１０Ｂに示すカラー選択画面６００の上部には、ＤＩＣ色見本一覧表示ボタン６１０および糸帳色見本一覧表示ボタン６２０が表示されている。
【００４９】
ここで、図１０Ａに示すカラー選択画面６００と図１０Ｂに示すカラー選択画面６００とは、操作者が、図１０Ａに示すカラー選択画面６００で糸帳色見本一覧表示ボタン６２０を、図１０Ｂに示すカラー選択画面６００でＤＩＣ色見本一覧表示ボタン６１０を押すタッチ操作をすることで、相互に切換可能である。
本実施形態では、ステップＳ２０１で最初に表示されるのは、図１０Ａに示すカラー選択画面６００であるが、図１０Ｂに示すカラー選択画面６００が最初に表示されるようにしてもよい。
なお、図１０Ａに示すカラー選択画面６００と図１０Ｂに示すカラー選択画面６００の切り換えのフローは、図５では省略する。
【００５０】
また、図１０Ａおよび図１０Ｂに示すように、糸帳色見本一覧表示ボタン６２０の右手には、キャンセルボタン６１２が表示されている。
図５のフローチャート上では特に示さないが、操作者が、このキャンセルボタン６１２を押すタッチ操作をすると、前画面のシミュレーション画面５００に移動することができる。
【００５１】
＜２．１．１．ＤＩＣ色見本一覧＞
まず、図１０Ａに示すカラー選択画面６００では、ＤＩＣ色見本一覧表示ボタン６１０は、選択されていない糸帳色見本一覧表示ボタン６２０とは異なり、色付きで表示され、選択された状態であることを示している。
また、ＤＩＣ色見本一覧表示ボタン６１０および糸帳色見本一覧表示ボタン６２０の下部には、ＤＩＣ色見本６１１の一覧が表示されている。
【００５２】
ＤＩＣ色見本６１１は、ＤＩＣ株式会社が作成した、色の指定や色合わせに用いられる代表的な色見本帳「ＤＩＣカラーガイド（登録商標）」に掲載の色見本である。この「ＤＩＣカラーガイド（登録商標）」は、第２０版では６５２色を収録している。
図１０Ａに示すＤＩＣ色見本６１１は、図上、カラー選択画面６００の左右両端に位置するものを除いて色番号を省略しているが、実際には、すべてのＤＩＣ色見本６１１について、色番号が付与された状態で表示される。
なお、図１０Ａに示されているのは、色番号１から２８５までのＤＩＣ色見本６１１であるが、色番号２８５よりも大きい色番号が付与されたＤＩＣ色見本６１１も、表示中のＤＩＣ色見本６１１に触れたまま、カラー選択画面６００の縦方向にスクロールするタッチ操作により、すべて表示される。
【００５３】
図柄見本作成装置１００は、図１０Ａに示すカラー選択画面６００上のＤＩＣ色見本６１１の一覧から、任意のＤＩＣ色見本６１１を指定して選択するタッチ操作を受け付ける（図５に示すステップＳ２０２）。
ＤＩＣ色見本６１１が選択されない場合（ステップＳ２０２においてＮＯの場合）、ＤＩＣ色見本６１１が選択されるまで、その状態を維持する。
【００５４】
ＤＩＣ色見本６１１が選択された場合（ステップＳ２０２においてＹＥＳの場合）、図１０Ａに示すカラー選択画面６００から遷移して、図９に示すように、表示手段１１２にシミュレーション画面５００が表示され（図５に示すステップＳ２０３）、図２に示すステップＳ１０９に戻る。
図９に示すシミュレーション画面５００は、図上、初期状態（図２に示すステップＳ１０７の状態）のままであるが、実際には、このシミュレーション画面５００は、ステップＳ２０２でＤＩＣ色見本６１１を選択することにより変更された色版を含む色版５１１〜５１４と、図柄見本作成装置１００の色版合成手段１１４が色版５１１〜５１４から１つの図柄を合成したマスター版５２０とからなる。
つまり、ステップＳ２０３において表示手段１１２に表示されるシミュレーション画面５００は、上述したステップＳ１０７における当初のシミュレーション画面５００を更新したもので、以降、これを「カラーシミュレーションの結果」と呼ぶ。
【００５５】
＜２．１．２．糸帳色見本一覧＞
次に、図１０Ｂに示すカラー選択画面６００では、糸帳色見本一覧表示ボタン６２０は、選択されていないＤＩＣ色見本一覧表示ボタン６１０とは異なり、色付きで表示され、選択された状態であることを示している。
また、ＤＩＣ色見本一覧表示ボタン６１０および糸帳色見本一覧表示ボタン６２０の下には、糸帳色見本６２１の一覧が表示されている。
【００５６】
糸帳色見本６２１の「糸帳」とは、一般には糸見本帳の略称を指すが、本実施形態では、図柄見本作成装置１００の操作者である受注者が独自に作成した染色済みの糸の色見本を指すものとする。
但し、糸帳色見本６２１は、このような色見本以外であっても、受注者が発注者に対し提案可能な独自の色見本のセットであれば、どのようなものであってもよい。
なお、図１０Ｂに示されている糸帳色見本６２１は、最上段を「スカイブルー」とし最下段を「ラベンダー」とする青色系統に属する色であるが、青色以外の他の色系統に属する糸帳色見本６２１が、表示中の糸帳色見本６２１に触れたままカラー選択画面６００の縦方向にスクロールするタッチ操作により、表示されるようにしてもよい。
【００５７】
図柄見本作成装置１００は、図１０Ｂに示すカラー選択画面６００上の糸帳色見本６２１の一覧から、任意の糸帳色見本６２１を指定して選択するタッチ操作を受け付ける（図５に示すステップＳ２０２）。
糸帳色見本６２１が選択されない場合（ステップＳ２０２においてＮＯの場合）、糸帳色見本６２１が選択されるまで、その状態を維持する。
【００５８】
糸帳色見本６２１が選択された場合（ステップＳ２０２においてＹＥＳの場合）、図１０Ｂに示すカラー選択画面６００から遷移して、図９に示すように、表示手段１１２にシミュレーション画面５００が表示され（図５に示すステップＳ２０３）、図２に示すステップＳ１０９に戻る。
このシミュレーション画面５００も、上述のＤＩＣ色見本６１１を選択する場合と同様に、「カラーシミュレーションの結果」と呼ぶ。
【００５９】
＜２．１．３．その他＞
なお、ＤＩＣ色見本６１１を選択する場合と、糸帳色見本６２１を選択する場合とで、別々に説明してきたが、上述のように、図１０Ａに示すカラー選択画面６００（ＤＩＣ色見本一覧）と、図１０Ｂに示すカラー選択画面６００（糸帳色見本一覧）とは、相互に切替可能である。つまり、図５に示すステップＳ２０１では、切り替えられたカラー選択画面６００が表示される。
したがって、ある色版に対しては、ＤＩＣ色見本６１１を選択し、別の色版に対しては、糸帳色見本６２１を選択して、１つの図柄を構成する複数の色版のそれぞれについて、異なる色見本を混在させることもできる。
このような場合も、カラー選択画面６００から遷移して、表示手段１１２に表示されたシミュレーション画面５００を、「カラーシミュレーションの結果」と呼ぶ。
【００６０】
＜３．カラーシミュレーションの結果の保存＞
次に、図９および図１１を参照しつつ図２に従って、本発明の一実施形態に係る図柄見本作成装置１００におけるシミュレーション画面５００の表示からカラーシミュレーションの結果の保存までの各動作について説明する。
図１１は、本発明の一実施形態に係る図柄見本作成装置の保存名入力画面を示す図である。
【００６１】
図５に示すステップＳ２０３において、表示手段１１２にシミュレーション画面５００が表示された後、図２に示すステップＳ１０９に移動する。
図９に示すように、シミュレーション画面５００の上部には、保存ボタン５３３が表示されている。
図柄見本作成装置１００の制御手段１１０は、保存ボタン５３３を押すタッチ操作が行われたか否かを判断する（ステップＳ１０９）。
【００６２】
保存ボタン５３３が押されない場合（ステップＳ１０９においてＮＯの場合）、ステップＳ１０８に戻る。
なお、図９に示すように、シミュレーション画面５００の上部には、保存ボタン５３３と共に、送信ボタン５３４が表示されている。この段階では、送信ボタン５３４を押すタッチ操作は無効であり、送信ボタン５３４を、例えば、保存ボタン５３３よりも薄い色調で表示することにより、無効であることを示している。
【００６３】
保存ボタン５３３が押された場合（ステップＳ１０９においてＹＥＳの場合）、図１１に示すように、シミュレーション画面５００に重畳して、保存名入力ダイアログ７１０およびソフトウェアキーボード７２０が表示される。ここで、保存名入力ダイアログ７１０およびソフトウェアキーボード７２０が重畳表示されたシミュレーション画面５００を保存名入力画面７００と呼ぶ（ステップＳ１１０）。
【００６４】
保存名入力ダイアログ７１０は、保存名入力ボックス７１１と、キャンセルボタン７１２と、ＯＫボタン７１３とを備える。
保存名入力画面７００では、操作者は、保存名入力ダイアログ７１０を通じて、ソフトウェアキーボード７２０を用いて、保存名入力ボックス７１１にカラーシミュレーションの結果を保存する保存名を入力することができる。
【００６５】
図柄見本作成装置１００の制御手段１１０は、保存名入力ボックス７１１に保存名が入力されているか否かを判断する（ステップＳ１１１）。
保存名入力ボックス７１１に保存名が入力されていない場合（ステップＳ１１１においてＮＯの場合）、および、保存名入力ボックス７１１に保存名が入力され（ステップＳ１１１においてＹＥＳの場合）、かつ、ＯＫボタン７１３が未だ押されていない場合（ステップＳ１１２においてＮＯの場合）、ステップＳ１１３に移動する。
そして、キャンセルボタン７１２が未だ押されていない場合（ステップＳ１１３においてＮＯの場合）、ステップＳ１１１に戻り、保存名入力ボックス７１１に保存名が入力されるまで、その状態を維持する。
【００６６】
他方、キャンセルボタン７１２が押された場合（ステップＳ１１３においてＹＥＳの場合）、保存名入力ダイアログ７１０およびソフトウェアキーボード７２０は閉じられて、保存名入力画面７００は元のシミュレーション画面５００に戻る。
これにより、保存名の入力は中止されて（ステップＳ１１４）、ステップＳ１０８に戻る。
【００６７】
ここで、保存ボタン５３３が押され（ステップＳ１０９においてＹＥＳの場合）、保存名入力画面７００が表示され（ステップＳ１１０）、保存名入力ボックス７１１に保存名が入力され（ステップＳ１１１においてＹＥＳの場合）、かつ、ＯＫボタン７１３が押された場合（ステップＳ１１２においてＹＥＳの場合）、入力された保存名でカラーシミュレーションの結果は記憶手段１１１に保存され（ステップＳ１１５）、図３に示すステップＳ１１６に移動する。
【００６８】
＜４．保存したカラーシミュレーションの結果の変更と上書き保存＞
次に、図８、図９、図１１、図１２および図１３を参照しつつ図３に従って、本発明の一実施形態に係る図柄見本作成装置１００における保存したカラーシミュレーションの結果を変更および／または送信する際の各動作について説明する。
図３は、本発明の一実施形態に係る図柄見本作成装置における保存したカラーシミュレーションの結果を変更および／または送信する際の各動作のフローチャートである。図１２は、本発明の一実施形態に係る図柄見本作成装置のシミュレーション一覧画面の他の一例を示す図である。図１３は、本発明の一実施形態に係る図柄見本作成装置のシミュレーション画面の他の一例を示す図である。
【００６９】
図２に示すステップＳ１１５でカラーシミュレーションの結果が保存されると、図１１に示す保存名入力画面７００から遷移して、図１２に示すように、表示手段１１２に再度、シミュレーション一覧画面４００が表示される。
図１２に示すシミュレーション一覧画面４００には、図８に示すシミュレーション一覧画面４００と同様に、“オリジナル”ボタン４１０と、“前画面に戻る”マーク４３１と、“トップ画面に戻る”マーク４３２とが表示されている。これらの詳細については、再度の説明は省略する。
【００７０】
他方、図１２に示すシミュレーション一覧画面４００には、図８に示すシミュレーション一覧画面４００とは異なり、図８に示すシミュレーション一覧表示領域４２０の位置に、保存済みシミュレーション選択ボタン４２１が表示されている（図３に示すステップＳ１１６）。
この保存済みシミュレーション選択ボタン４２１には、図１１に示す保存名入力ボックス７１１に入力し（図２に示すステップＳ１１１でＹＥＳの場合）、図１１に示すＯＫボタン７１３を押して（図２に示すステップＳ１１２でＹＥＳの場合）保存した（図２に示すステップＳ１１５）カラーシミュレーションの結果の保存名が表示されている。
【００７１】
ここで、再度、図柄見本を作成するために、図１２に示す“オリジナル”ボタン４１０が押された場合（図３に示すステップＳ１１７においてＹＥＳの場合）、図２に示すステップＳ１０７に戻り、図１２に示すシミュレーション一覧画面４００から遷移して、図９に示すように、表示手段１１２にシミュレーション画面５００が表示される。
他方、“オリジナル”ボタン４１０が押されず（ステップＳ１１７においてＮＯの場合）、かつ、保存済みシミュレーション選択ボタン４２１も押されていない場合（図３に示すステップＳ１１８においてＮＯの場合）、ステップＳ１１７に戻り、“オリジナル”ボタン４１０または保存済みシミュレーション選択ボタン４２１が押されるまで、その状態を維持する。
【００７２】
保存したカラーシミュレーションの結果を変更および／または送信するために、保存済みシミュレーション選択ボタン４２１が押された場合（ステップＳ１１８においてＹＥＳの場合）、図１２に示すシミュレーション一覧画面４００から遷移して、図１３に示すように、表示手段１１２に特定の保存名で保存したカラーシミュレーションの結果に基づくシミュレーション画面５００が表示される（図３に示すステップＳ１１９）。
【００７３】
図１３に示すように、シミュレーション画面５００の上部には、保存ボタン５３３と共に、送信ボタン５３４が表示されている。
図柄見本作成装置１００の制御手段１１０は、送信ボタン５３４を押すタッチ操作が行われたか否かを判断する（図３に示すステップＳ１２０）。
送信ボタン５３４が押されない場合（ステップＳ１２０においてＮＯの場合）、図柄見本作成装置１００の制御手段１１０は、図１３に示すシミュレーション画面５００上の色版表示領域５１０に表示された色版５１１〜５１４のいずれかを選択するタッチ操作が行われたか否かを判断する（図３に示すステップＳ１２１）。
【００７４】
色版５１１〜５１４のいずれも選択されない場合（ステップＳ１２１においてＮＯの場合）、次のステップＳ１２２に移動する。
また、色版５１１〜５１４のいずれかが選択された場合（ステップＳ１２１においてＹＥＳの場合）、図１３に示すシミュレーション画面５００から遷移して、上述のように、表示手段１１２に図１０Ａおよび図１０Ｂに示すカラー選択画面６００が表示される（図５に示すステップＳ２０１）。カラー選択画面６００においては、保存したカラーシミュレーションの結果の変更が可能である。
図５に示すステップＳ２０１〜２０３の説明は、＜２．カラーシミュレーションの実施＞で上述した通りであるので省略する。ステップＳ２０３の後は、図３に示すステップＳ１２２に移動する。
【００７５】
図１３に示す保存ボタン５３３が押されない場合（ステップＳ１２２においてＮＯの場合）、ステップＳ１２１に戻る。
他方、保存ボタン５３３が押された場合（ステップＳ１２２においてＹＥＳの場合）、現在の保存名でカラーシミュレーションの結果が記憶手段１１１に上書き保存され（図３に示すステップＳ１２３）、ステップＳ１１６に戻る。
【００７６】
但し、保存ボタン５３３が押された場合（ステップＳ１２２においてＹＥＳの場合）、図２に示すステップＳ１０９においてＹＥＳの場合と同様に、図１３に示すシミュレーション画面５００に、図１１に示す保存名入力ダイアログ７１０およびソフトウェアキーボード７２０を重畳表示して、保存名を変更して別名で保存できるようにしてもよい。
この場合、別名で保存後にステップＳ１１６に戻り、図１２に示すシミュレーション一覧画面４００に、別名で保存したカラーシミュレーションの結果の保存名が表示された保存済みシミュレーション選択ボタン４２１が追加して表示される。
【００７７】
図１３に示すように、シミュレーション画面５００の上部には、保存ボタン５３３と共に、送信ボタン５３４が表示されている。
上述のように、図９に示す送信ボタン５３４は、同図の保存ボタン５３３よりも薄い色調で表示され、タッチ操作が無効であることを示している。
これに対し、図１３に示す送信ボタン５３４は、同図の保存ボタン５３３と同じ色調で表示され、タッチ操作が有効であることを示している。
図１３に示す送信ボタン５３４が押された場合（ステップＳ１２０においてＹＥＳの場合）、次のステップＳ１２４に移動する。
【００７８】
＜５．保存したカラーシミュレーションの結果の外部への送信＞
次に、図１３および図１４を参照しつつ図４に従って、本発明の一実施形態に係る図柄見本作成装置１００における保存したカラーシミュレーションの結果を外部に送信して終了に至るまでの各動作について説明する。
図１４は、本発明の一実施形態に係る図柄見本作成装置の電子メールアプリケーション画面を示す図である。
【００７９】
図１４に示すように、記憶手段１１１に記憶されたインストール済みの電子メールアプリケーションが起動し（図４に示すステップＳ１２４）、表示手段１１２に電子メールアプリケーション画面８００が表示される。
図１４に示す電子メールアプリケーション画面８００には、シミュレーション作成日時８４１と、ベース図柄８４２と、色版シミュレーション結果８４３と、マスター版イメージ８４４とが表示される。
【００８０】
シミュレーション作成日時８４１は、カラーシミュレーションの結果を保存または上書き保存した日時である。
ベース図柄８４２は、カラーシミュレーションの基になった、図２に示すステップＳ１０４で選択された図７に示す図柄３１０の名称であり、ここでは「ｓｔｒｉｐｅ０００３」である。
【００８１】
色版シミュレーション結果８４３は、保存したカラーシミュレーションの結果である図柄を構成する各色版の電子データであり、メール本文に添付される。カラーシミュレーションの結果、色見本が変更された色版については、変更後の色見本の名称である「糸帳９」、「ＤＩＣ１６７」などが、各色版の電子データ名の後に続けて表示される。
マスター版イメージ８４４は、選択された図柄３１０を構成する各色版から１つの図柄を合成して表示した、図１３に示すマスター版５２０のイメージである。
【００８２】
また、図１４に示す電子メールアプリケーション画面８００の上部には、送信確定ボタン８１１と、キャンセルボタン８１２が設けられている。
図柄見本作成装置１００の制御手段１１０は、送信確定ボタン８１１を押すタッチ操作が行われたか否かを判断する（図４に示すステップＳ１２５）。
送信確定ボタン８１１が押されない場合（ステップＳ１２５においてＮＯの場合）、送信確定ボタン８１１が押されるまで、その状態を維持する。
【００８３】
他方、送信確定ボタン８１１が押された場合（ステップＳ１２５においてＹＥＳの場合）、保存したカラーシミュレーションの結果である電子メールが、通信手段１１５により、製造部門などの所定の送付先に送信される（ステップＳ１２６）。
以上にて、本実施形態におけるカラーシミュレーションは、終了となる。
【００８４】
なお、図４のフローチャート上では特に示さないが、操作者が、送信確定ボタン８１１を押す前に、電子メールアプリケーション画面８００に表示された内容に問題等を発見した場合には、キャンセルボタン８１２を押すことで、電子メールアプリケーションは終了する。
そして、操作者は、電子メールアプリケーション画面８００から遷移した図１３に示すシミュレーション画面５００上で、保存したカラーシミュレーションの結果を変更することができる。
【符号の説明】
【００８５】
１００…図柄見本作成装置、
１１０…制御手段、
１１１…記憶手段、
１１２…表示手段、
１１３…操作手段、
１１４…色版合成手段、
１１５…通信手段、
２００…図柄グループ選択画面、
２１０…一般用図柄フォルダ、
２２０…個別顧客専用図柄フォルダ、
３００…図柄選択画面、
３１０…図柄、
４００        …シミュレーション一覧画面、
４１０        …“オリジナル”ボタン、
４２０        …シミュレーション一覧表示領域、
４２１        …保存済みシミュレーション選択ボタン、
５００…シミュレーション画面、
５１０…色版表示領域、
５１１…色版、
５１２…色版、
５１３…色版、
５１４…色版、
５２０…マスター版、
３３１，４３１，５３１…“前画面に戻る”マーク、
３３２，４３２，５３２…“トップ画面に戻る”マーク、
５３３…保存ボタン、
５３４…送信確定ボタン、
６００…カラー選択画面、
６１０…ＤＩＣ色見本一覧表示ボタン、
６１１…ＤＩＣ色見本、
６２０…糸帳色見本一覧表示ボタン、
６２１…糸帳色見本、
７００…保存名入力画面、
７１０…保存名入力ダイアログ、
７１１…保存名入力ボックス、
７１２…キャンセルボタン、
７１３…ＯＫボタン、
７２０…ソフトウェアキーボード、
８００…電子メールアプリケーション画面、
８１１…送信確定ボタン、
８１２…キャンセルボタン、
８４１…シミュレーション作成日時、
８４２…ベース図柄、
８４３…色版シミュレーション結果、
８４４…マスター版イメージ。
【図１】
2020183981.tif 000003
【図２】
2020183981.tif 000004
【図３】
2020183981.tif 000005
【図４】
2020183981.tif 000006
【図５】
2020183981.tif 000007
【図６】
2020183981.tif 000008
【図７】
2020183981.tif 000009
【図８】
2020183981.tif 000010
【図９】
2020183981.tif 000011
【図１０Ａ】
2020183981.tif 000012
【図１０Ｂ】
2020183981.tif 000013
【図１１】
2020183981.tif 000014
【図１２】
2020183981.tif 000015
【図１３】
2020183981.tif 000016
【図１４】
2020183981.tif 000017